(57)【特許請求の範囲】
【請求項１】
燃焼室の吸気口又は排気口を開閉するバルブヘッド及びシリンダヘッドに摺動可能に設けられるバルブステムを有し、カムシャフトによって駆動されるバルブと、
前記シリンダヘッドによって前記バルブの摺動方向に沿って摺動可能に支持され、前記カムシャフトのカムと前記バルブとの間に介装されるバルブリフタと、
前記バルブリフタの内部に変位可能に設けられ、供給油圧に応じ、前記バルブリフタの摺動時に前記バルブステムのエンド面に当接する第１位置と前記バルブステムの前記エンド面に当接しない第２位置との間を変位することで前記バルブのリフト特性を切り替える切替部材と、
前記バルブステムに固定され、前記シリンダヘッドとの間に縮設される比較的小径の第１バルブスプリングを支持する第１スプリング支持部と、
前記バルブリフタとは別に、前記バルブステムにおける前記第１スプリング支持部よりも前記エンド面側に当該バルブステムに対して摺動可能に設けられ、前記シリンダヘッドとの間に縮設される比較的大径の第２バルブスプリングを支持する第２スプリング支持部とを有し、
前記バルブステムが、前記第２スプリング支持部を摺動させる部分に比べて拡径し、前記切替部材が前記第１位置にある時に前記第２スプリング支持部に係合するステムエンドを有することを特徴とする内燃機関の可変動弁装置。
【請求項２】
前記第２スプリング支持部は、円環状のリテーナと、前記バルブステムと前記リテーナとの間に設けられ、複数の部材によって前記バルブステムを囲繞するように構成されたコッタとを有し、
前記コッタが前記リテーナと前記バルブリフタとによって挟持されていることを特徴とする請求項１に記載の内燃機関の可変動弁装置。
【請求項３】
前記コッタが、前記バルブステムを囲繞する筒部と、前記筒部の前記ステムエンド側の端部から径外方向に延出するフランジとを有し、
前記リテーナが、前記筒部が挿入される貫通孔と、前記貫通孔の周囲に形成されて前記フランジを受容する凹部とを有し、
前記バルブリフタが、前記コッタのみに当接する環状凸部を有することを特徴とする請求項２に記載の内燃機関の可変動弁装置。
【請求項４】
前記バルブステムの前記第２スプリング支持部を摺動させる部分と前記ステムエンドとの接続部に隅Ｒが形成され、
前記コッタの前記ステムエンド側の端面と内周面との角部が面取りされていることを特徴とする請求項２又は請求項３に記載の内燃機関の可変動弁装置。
【請求項５】
前記バルブリフタが、前記シリンダヘッドに摺接する筒状の外周部を有し、
前記第２スプリング支持部が前記バルブリフタの前記外周部の内部に収容されていることを特徴とする請求項１〜請求項４のいずれかに記載の内燃機関の可変動弁装置。
【請求項６】
前記カムシャフトと前記バルブリフタとの間に揺動可能に設けられたロッカアームを更に有し、
前記バルブリフタが、前記切替部材の収容室を画定する収容部から前記ロッカアームに向けて突出し、前記ロッカアームの揺動端に摺接する凸部と、前記収容室から前記ロッカアームに向けて前記凸部内に凹陥し、前記切替部材が前記第２位置にある時に前記ステムエンドを受容する受容孔とを有することを特徴とする請求項１〜請求項５のいずれかに記載の内燃機関の可変動弁装置。
【発明の詳細な説明】
【技術分野】
【０００１】
本発明は、シリンダヘッドに形成された吸気通路や排気通路の開閉弁のリフト特性を切り替えることができる内燃機関の可変動弁装置に関する。
【背景技術】
【０００２】
内燃機関の吸排気弁のバルブ特性を変更し得る装置として、種々の機構が提案されている。本出願人は、バルブの作動を休止させることが可能なバルブ休止機構として、バルブ駆動カムとバルブとの間に設けられるバルブリフタに、油圧で駆動されるスライドピンを内蔵させたバルブ休止機構を提案している（特許文献１、２参照）。
【０００３】
このバルブ休止機構では、バルブリフタの内側にスライドピンホルダが摺動可能に嵌合され、スライドピンホルダの内部には、スライドピンホルダの内面との間に油圧室を形成するスライドピンが、スライドピンホルダの軸線と直交する方向に摺動可能に、且つリターンスプリングによって油圧室の容積を縮小する方向に付勢される状態で嵌合されており、油圧室に油圧が供給されることよってスライドピンの軸方向位置が変わる。スライドピンの軸方向中間部には、平坦な当接面が下部外側面に形成さると共に、バルブステムの先端部を収容可能にする収容孔が当接面に開口するように形成されている。油圧が供給されていない時には、バルブリフタが下降した際にバルブステムの先端部が当接面に当接するため、バルブが開弁作動する。一方、油圧が供給されている時には、バルブリフタが下降した際にバルブステムの先端部が収容孔に収容されるため、バルブは開弁作動しない。
【先行技術文献】
【特許文献】
【０００４】
【特許文献１】特開２０００−２０４９１７号公報
【特許文献２】特開２０１１−１８５０９２号公報
【発明の概要】
【発明が解決しようとする課題】
【０００５】
しかしながら、上記のバルブ休止機構では、油圧が供給されない弁休止時にバルブが開弁作動しないようにするため、スライドピンの収容孔に進入するバルブのステムエンドがバルブのリフト量よりも長くされ、そのバルブヘッド側であるバルブステムの中間部分にリテーナがコッタを介して固定されている。そして、リテーナとシリンダヘッドとの間に設けられた比較的小径のコイル状の弁ばねによってバルブが閉弁方向に付勢され、バルブスプリングの周りに設けられた比較的大径のコイルばねによってスライドピンホルダがバルブリフタの閉塞端側（動弁カム側）に付勢されている。従って、バルブ休止機構を含む動弁機構を組み付ける際には、大径のコイルばねの付勢力に抗してバルブリフタを所定位置にセットしなければならず、動弁機構の組み付け作業が煩雑になる。また、ラッシュアジャスタのように油圧で駆動される部品が動弁機構に含まれる場合には、組み付け時に大径のコイルばねの付勢力が油圧駆動部品に負荷されないようにする必要がある。
【０００６】
本発明は、このような背景を鑑み、バルブのリフト特性を切り替える切替機構を備えた動弁機構の組み付け作業を容易にでき、且つ、動弁機構の組み付け時にラッシュアジャスタのような油圧駆動部品にコイルばねの付勢力が負荷されない内燃機関の可変動弁装置を提供することを目的とする。
【課題を解決するための手段】
【０００７】
このような課題を解決するために、本発明に係る内燃機関（１）の可変動弁装置（２０）の一態様は、燃焼室（１２）の吸気口（１６Ｉ）又は排気口（１６Ｅ）を開閉するバルブヘッド（３１）及びシリンダヘッド（４）に摺動可能に設けられるバルブステム（３２）を有し、カムシャフト（２１）によって駆動されるバルブ（１７）と、前記シリンダヘッドによって前記バルブの摺動方向に沿って摺動可能に支持され、前記カムシャフトのカム（２１ａ）と前記バルブとの間に介装されるバルブリフタ（２４）と、前記バルブリフタの内部に変位可能に設けられ、供給油圧に応じ、前記バルブリフタの摺動時に前記バルブステムのエンド面（３９ａ）に当接する第１位置と前記バルブステムの前記エンド面に当接しない第２位置との間を変位することで前記バルブのリフト特性を切り替える切替部材（５３）と、前記バルブステムに固定され、前記シリンダヘッドとの間に縮設される比較的小径の第１バルブスプリング（３５）を支持する第１スプリング支持部（３４）と、前記バルブリフタとは別に、前記バルブステムにおける前記第１スプリング支持部よりも前記エンド面側に当該バルブステムに対して摺動可能に設けられ、前記シリンダヘッドとの間に縮設される比較的大径の第２バルブスプリング（４３）を支持する第２スプリング支持部（４２）とを有し、前記バルブステムが、前記第２スプリング支持部を摺動させる部分（４０）に比べて拡径し、前記切替部材が前記第１位置にある時に前記第２スプリング支持部に係合するステムエンド（３９）を有している。
【０００８】
この態様によれば、切替部材の位置に応じてバルブのリフト特性を切り替える内燃機関の動弁装置において、第２バルブスプリングのばね力が第２スプリング支持部を介してバルブに加わるため、閉弁状態にあるバルブによって第２バルブスプリングが圧縮状態に維持される。そのため、第２スプリング支持部の上にバルブリフタを置くだけで、即ちバルブリフタを第２バルブスプリングのばね力に抗して押し付けることなく動弁機構を組み付けることができ、動弁機構の組み付け作業が容易になる。また、ラッシュアジャスタのような油圧駆動部品にコイルばねの付勢力が負荷されることもない。
【０００９】
また、上記の態様において、前記第２スプリング支持部は、円環状のリテーナ（４４）と、前記バルブステムと前記リテーナとの間に設けられ、複数の部材によって前記バルブステムを囲繞するように構成されたコッタ（４５）とを有し、前記コッタが前記リテーナと前記バルブリフタとによって挟持されているとよい。
【００１０】
この態様によれば、バルブが拡径したステムエンドを有していても、第２スプリング支持部のバルブへの組み付けを容易にすることができる。また、コッタがリテーナとバルブリフタとによって挟持されるため、コッタが外れることを防止できる。
【００１１】
また、上記の態様において、前記コッタが、前記バルブステムを囲繞する筒部（４５ａ）と、前記筒部の前記ステムエンド側の端部から径外方向に延出するフランジ（４５ｂ）とを有し、前記リテーナが、前記筒部が挿入される貫通孔（４４ａ）と、前記貫通孔の周囲に形成されて前記フランジを受容する凹部（４４ｂ）とを有し、前記バルブリフタが、前記コッタのみに当接する環状凸部（６９）を有するとよい。
【００１２】
この態様によれば、コッタがフランジを有し、バルブリフタがコッタのみに当接するため、リテーナに発生する応力が小さく、リテーナ及びコッタを薄型化することができる。
【００１３】
また、上記の態様において、前記バルブリフタが、前記シリンダヘッドに摺接する筒状の外周部（５１）を有し、前記コッタ及び前記リテーナが前記バルブリフタの前記外周部の内部に収容されているとよい。
【００１４】
この態様によれば、バルブ及び第２バルブスプリングを安定させた状態でシリンダヘッドに組み付けることができる。また、リテーナ及びコッタが薄型化可能であるため、バルブリフタの大型化を抑制できる。
【００１５】
また、上記の態様において、前記バルブステムの前記第２スプリング支持部を摺動させる部分（４０）と前記ステムエンド（３９）との接続部（４０ａ）に隅Ｒが形成され、前記コッタ（４５）の前記ステムエンド側の端面と内周面との角部が面取りされているとよい。
【００１６】
この態様によれば、切替部材が第１位置にある時のステムエンドの位置決め精度を向上させ、切替部材とコッタとにより挟まれたステムエンドのがたつきを抑制できる。更に、切替部材が第２位置にある時のコッタとステムエンドとの衝突による磨耗を抑制できる。
【００１７】
また、上記の態様において、前記カムシャフトと前記バルブリフタとの間に揺動可能に設けられたロッカアーム（２２）を更に有し、前記バルブリフタが、前記切替部材の収容室（５２）を画定する収容部（５４）から前記ロッカアームに向けて突出し、前記ロッカアームの前記揺動端に摺接する凸部（５５）と、前記収容室から前記ロッカアームに向けて前記凸部内に凹陥し、前記切替部材が前記第２位置にある時に前記ステムエンドを受容する受容孔（６６）とを有するとよい。
【００１８】
この態様によれば、バルブリフタが凸部を有し、駆動部材であるロッカアームの揺動端に凸部を摺接させればよいため、バルブリフタを小型化することができる。また、バルブリフタが凸部内に受容孔を有するため、バルブリフタを小型化しながらも、切替部材がステムエンドのエンド面に当接しない時のバルブリフタの摺動可能距離を確保できる。これにより、弁が休止するようにバルブ特性を変化させることも容易である。
【発明の効果】
【００１９】
このように本発明によれば、バルブのリフト特性を切り替える切替機構を備えた動弁機構の組み付け作業を容易にでき、且つ、動弁機構の組み付け時にラッシュアジャスタのような油圧駆動部品にコイルばねの付勢力が負荷されない内燃機関の可変動弁装置を提供することができる。
【図面の簡単な説明】
【００２０】
【図１】実施形態に係る可変動弁装置が適用された内燃機関の正面図
【図２】図１に示されるリヤバンクのシリンダヘッド周りの断面図
【図３】図１に示されるフロントバンクのシリンダヘッド周りの断面図
【図４】図２中の要部拡大図
【図５】図４に示されるバルブリフタの斜視図
【図６】図４に示されるバルブリフタの上面図
【図７】可変動弁装置の作動説明図
【図８】可変動弁装置の作動説明図
【発明を実施するための形態】
【００２１】
以下、図面を参照して、本発明の実施形態について詳細に説明する。
【００２２】
図１は、本発明に係る可変動弁装置が適用されたエンジン１の正面図である。図１に示されるように、エンジン１は、ＤＯＨＣ式のＶ型６気筒ガソリンエンジンであり、図１の紙面の右側が車両の前方となるようにエンジンルームに横置きに配置される。以下、エンジン１が搭載された車両の進行方向を基準として前後及び左右の方向を定める。
【００２３】
エンジン１は、前後方向にＶ字形をなすフロントバンク２Ｆ及びリヤバンク２Ｒが形成されたシリンダブロック３と、フロントバンク２Ｆ及びリヤバンク２Ｒのそれぞれの上部に結合されたシリンダヘッド４と、各シリンダヘッド４の上部に結合されたヘッドカバー５とを備えている。エンジン１の吸気装置７は前後のバンク２の内側に配設され、排気系８は前後のバンク２の外側に配設されている。
【００２４】
フロントバンク２Ｆ及びリヤバンク２Ｒ内にはシリンダボア１１が３つずつ形成され、各シリンダヘッド４の各シリンダボア１１に対向する部分には燃焼室１２が形成されている。シリンダボア１１と燃焼室１２とによって気筒が構成される。各シリンダボア１１内には、コンロッド１３を介してクランクシャフト１４に連結されたピストン１５が、摺動可能に配置されている。
【００２５】
燃焼室１２には、シリンダヘッド４のバンク内側の側部に開口する吸気ポート１６Ｉ及びバンク外側の側部に開口する排気ポート１６Ｅのそれぞれの一端が連通している。各燃焼室１２に対して、吸気ポート１６Ｉ及び排気ポート１６Ｅは２つずつ設けられている。シリンダヘッド４には、吸気ポート１６Ｉ及び排気ポート１６Ｅを燃焼室１２との境界部で開閉するバルブ１７（吸気バルブ１７Ｉ及び排気バルブ１７Ｅ）が摺動可能に設けられている。バルブ１７は、動弁装置２０によって開閉駆動され、燃焼室１２の吸気口又は排気口を開閉する。
【００２６】
動弁装置２０は、吸気側及び排気側のそれぞれに設けられ、カム２１ａが列設されたカムシャフト２１（吸気カムシャフト２１Ｉ及び排気カムシャフト２１Ｅ）と、吸気側及び排気側のそれぞれに設けられ、対応するカム２１ａとバルブ１７との間に介装されたロッカアーム２２（吸気ロッカアーム２２Ｉ及び排気ロッカアーム２２Ｅ）と、各ロッカアーム２２を揺動可能に支持するラッシュアジャスタ２３と、各ロッカアーム２２とバルブ１７との間に介装されたバルブリフタ２４とを備えている。吸気側及び排気側のカムシャフト２１はクランクシャフト１４の回転に同期して回転し、各バルブ１７はロッカアーム２２及びバルブリフタ２４を介してカム２１ａにより駆動される。
【００２７】
図２は、図１に示されるリヤバンク２Ｒのシリンダヘッド４周りの断面図を、図３は、図１に示されるフロントバンク２Ｆのシリンダヘッド４周りの断面図を、それぞれシリンダ軸線を紙面の上下に沿わせて示している。リヤバンク２Ｒの動弁装置２０及びフロントバンク２Ｆの動弁装置２０は、後述するバルブ休止機構７０を備えているか否かの点で相違し、バルブ休止機構７０と関連のない部分は同様の構成とされている。そのため、まず、図２を参照しながらリヤバンク２Ｒの動弁装置２０について説明し、その後、フロントバンク２Ｆの動弁装置２０について図３を参照しながら相違点のみを説明する。
【００２８】
図２に示されるように、シリンダヘッド４は、燃焼室１２の上方や排気ポート１６Ｅの上方及び下方、吸気ポート１６Ｉの下方に冷却水を流通させるウォータージャケット１８を画定している。また、シリンダヘッド４は、燃料室の上方のウォータージャケット１８を画定する部分の上方に、ラッシュアジャスタ２３を支持すると共にバルブリフタ２４を摺動可能に支持するための支持壁１９を有する上下２段の構造とされている。
【００２９】
シリンダヘッド４の支持壁１９には、バルブリフタ２４をバルブ１７の摺動方向に沿って摺動可能に支持する支持孔１９ａがバルブ１７と同軸に形成されている。ラッシュアジャスタ２３は、支持壁１９の支持孔１９ａに対してシリンダ軸線側の位置に取り付けられている。ロッカアーム２２はスイングアーム型であり、その基端部がラッシュアジャスタ２３によって揺動可能に支持され、揺動端である先端部がバルブリフタ２４を駆動する。ロッカアーム２２は、基端部からシリンダ軸線と相反する側に向けて互いに平行に延出する２つの縦壁部２６と、縦壁部２６の延出端にこれら２つの縦壁部２６を連結するように一体に形成され、バルブリフタ２４に摺接する摺接部２７と、縦壁部２６の延出方向の中間部に設けられ、カム２１ａに転接させるローラを回転可能に支持するカムフォロア２８とを有している。ロッカアーム２２の摺接部２７は、バルブリフタ２４に摺接する下面２７ａが下方に向けて突出する向きに湾曲した板状とされている。
【００３０】
バルブ１７は、燃焼室１２の上面に設けられたバルブシート３０に着座し、燃焼室１２の吸気口又は排気口を開閉するバルブヘッド３１と、バルブヘッド３１から上方へ延出するバルブステム３２とを有するポペットバルブである。バルブ１７は、シリンダヘッド４に取り付けられた円筒状のバルブガイド３３にバルブステム３２が挿入されることにより、シリンダヘッド４によってバルブステム３２を摺動可能に保持される。支持孔１９ａ内を摺動するようにバルブ１７とロッカアーム２２との間に介装されたバルブリフタ２４の内部には、バルブ休止機構７０が組み込まれている。
【００３１】
詳細な構成については後述するが、バルブ休止機構７０は油圧によって駆動され、カムシャフト２１の回転に応じてバルブ１７を開閉作動させる弁稼動状態と、カムシャフト２１が回転していてもバルブ１７の開閉作動を休止させる休弁状態とを選択的に切り替える。バルブ休止機構７０は１つの気筒に設けられた４つ全てのバルブリフタ２４に組み込まれており、全てのバルブ休止機構７０が弁稼動状態と休弁状態とを同時に切り替えられることにより、気筒に駆動力を発生させる気筒稼動状態と、気筒に駆動力を発生させない気筒休止状態とを選択的に切り替える気筒休止機構７１が構成される。リヤバンク２Ｒの動弁装置２０に備えられた気筒休止機構７１は、ある特定の運転状態の時にバルブ１７の開閉作動を休止して燃焼サイクルを休止させる。
【００３２】
本実施形態では、気筒休止機構７１によりリヤバンク２Ｒの全ての気筒を休止すると共に、フロントバンク２Ｆの全ての気筒を稼動する休筒運転と、フロントバンク２Ｆ及びリヤバンク２Ｒの全ての気筒を稼動する全筒運転とが可能となっている。全筒運転は自動車の発進時や加速時等の負荷が大きい場合に選択され、休筒運転は自動車の高速巡航時やアイドル時等の負荷が小さい場合に選択される。全筒運転と休筒運転とのいずれを選択するかは、図示しないＥＣＵ（エンジンコントロールユニット）によって、アクセルペダルの踏み込み量やエンジン回転数等に基づいて決定される。
【００３３】
図４は、図２中の要部（吸気側のバルブリフタ２４周り）の拡大断面図を示している。なお、図４では、バルブ休止機構７０は弁稼動状態にあり、バルブ１７は閉弁状態にある。動弁装置２０は、吸気側及び排気側で概ね前後対称に設けられている。そのため、以下では、「吸気」及び「排気」の文言を用いず、「Ｉ」及び「Ｅ」の添字を省略した符号を使用して説明する。
【００３４】
図２及び図４に示されるように、閉弁状態においてシリンダヘッド４の上面（燃焼室１２側の面）から離間したバルブステム３２の中間位置には第１スプリング支持部３４が固定されている。第１スプリング支持部３４は、シリンダヘッド４の上面に設けられたスプリングシートとの間に介装される比較的小さな巻径の第１バルブスプリング３５を支持する。第１バルブスプリング３５は、第１スプリング支持部３４とシリンダヘッド４との間に縮設された圧縮コイルばねであり、第１スプリング支持部３４を介してバルブ１７を閉弁方向に常時付勢する。
【００３５】
第１スプリング支持部３４は、概ね逆円錐台形状の第１リテーナ３６と、第１リテーナ３６とバルブステム３２との間に介装される第１コッタ３７とを有している。第１リテーナ３６は筒状を呈する一体物の金属部品であり、その内周面はバルブヘッド３１側ほど小径になる逆円錐台形状（テーパ形状）とされている。第１コッタ３７は、２つ割りの半筒状の金属部品であるコッタピースを組み合わせることによって第１リテーナ３６の内周面と相補完形状の外周面をなす構成とされる。第１コッタ３７の内周面には環状突起３８が形成され、バルブステム３２の外周面には環状突起３８と相補完形状の環状凹部であるコッタ溝が形成されている。第１コッタ３７が環状突起３８をコッタ溝に嵌合させた状態で、第１バルブスプリング３５のばね力を受けた第１リテーナ３６がバルブヘッド３１側から第１コッタ３７の外周に装着されることにより、第１リテーナ３６及び第１コッタ３７がバルブステム３２に固定される。
【００３６】
バルブステム３２の第１スプリング支持部３４が固定された位置と延出端部をなすステムエンド３９との間には、これらに比べて小径とされた円柱ロッド状のステム小径部４０が形成されている。言い換えれば、ステムエンド３９は、ステム小径部４０に比べて拡径している。ステム小径部４０には第２スプリング支持部４２が摺動可能に設けられている。ステム小径部４０の軸方向長さは、第２スプリング支持部４２の厚さにバルブ１７のリフト量を加えた長さ（即ち、第２スプリング支持部４２の移動範囲長さ）よりも若干長くされている。第２スプリング支持部４２は、シリンダヘッド４の上面に設けられたスプリングシートとの間に介装される比較的大きな巻径の第２バルブスプリング４３を支持する。第２バルブスプリング４３は、第２スプリング支持部４２とシリンダヘッド４との間に縮設された圧縮コイルばねであり、全筒運転時に第２スプリング支持部４２を介してバルブ１７を閉弁方向に付勢する。
【００３７】
第２スプリング支持部４２は、円環状の第２リテーナ４４と、第２リテーナ４４とバルブステム３２との間に介装される第２コッタ４５とを有している。第２リテーナ４４は一体物の概ね円盤状の金属部品であり、その中央にはステムエンド３９よりも大径の貫通孔４４ａが形成されている。貫通孔４４ａの内周面は一定の径を有する円筒状（円柱形状）とされている。第２リテーナ４４の上面には貫通孔４４ａの周囲に円環状の凹部４４ｂが形成されている。第２コッタ４５は、２つ割りの金属部品であるコッタピースを組み合わせることによって、ステム小径部４０の外周面よりも若干大きい円筒状の内周面を形成してバルブステム３２を囲繞する筒部４５ａと、筒部４５ａのステムエンド３９側の端部から径外方向に延出する円環状のフランジ４５ｂとを有する構成とされる。第２コッタ４５の筒部４５ａの外周面は、第２リテーナ４４の内周面と同一又は若干小さい大きさとされている。第２コッタ４５がステム小径部４０に摺動可能に外嵌した状態で、第２バルブスプリング４３のばね力を受けた第２リテーナ４４がバルブヘッド３１側から第２コッタ４５の筒部４５ａの外周に装着されることにより、第２リテーナ４４及び第２コッタ４５がバルブステム３２に摺動可能に設けられる。この組み付け状態では、第２コッタ４５の筒部４５ａは第２リテーナ４４の貫通孔４４ａに挿入され、第２コッタ４５のフランジ４５ｂは第２リテーナ４４の凹部４４ｂに受容される。また、第２リテーナ４４及び第２コッタ４５がこのような構成とされたことにより、第２スプリング支持部４２は第１スプリング支持部３４よりも薄くなっており、その全体がバルブリフタ２４の内部に配置されている。
【００３８】
ステム小径部４０とこれよりもバルブヘッド３１側の部分（第１スプリング支持部３４の取付部）との間、及びステム小径部４０とステムエンド３９との間には、段差を形成する環状肩面４０ａが形成される。これらの環状肩面４０ａには、ステム小径部４０との接続部である隅部に環状の隅Ｒが形成されている。隅Ｒは、例えば、バルブステム３２を、一定の断面を有するロッドに形成した後に、旋盤を用いてステム小径部４０を切削加工する際に形成される。一方、第２コッタ４５のステムエンド３９側の端面と内周面との接続部である角部は、隅Ｒと相補完形状をなすＲ面に面取りされている。これにより、第２コッタ４５はステムエンド３９側の環状肩面４０ａに面接触し、切替ピン５３が第１位置にある時のステムエンド３９の位置決め精度を向上させることができる。そして、後述する休弁状態での動作時に、バルブヘッド３１側からステムエンド３９側へステム小径部４０を移動して当該環状肩面４０ａに衝突する際の応力が分散されると共に磨耗が抑制される。
【００３９】
図５はバルブリフタ２４の斜視図であり、図６はバルブリフタ２４の上面図である。図４〜図６に示されるように、バルブリフタ２４は、支持孔１９ａの内周面に摺接する円筒状の外周部５１と、外周部５１の軸線を通って径方向に延びるように外周部５１に一体に形成され、内部にピン収容室５２を画定すると共にピン収容室５２に切替ピン５３をスライド可能に収容するピン収容部５４と、ピン収容部５４の上面から外周部５１と同軸に上方に延出し、外周部５１の上縁よりも上方に突出した凸部５５とを備えている。バルブリフタ２４は、外周部５１、ピン収容部５４及び凸部５５を一体形成された金属製部品である。ピン収容部５４は、軸方向の両端で外周部５１に接続している一方、他の部分では外周部５１に接続していない。即ち、上面視（図６）において、外周部５１とピン収容部５４との間は肉抜きされており、バルブリフタ２４の軽量化が図られている。
【００４０】
図４に示されるように、ピン収容室５２は、円形断面を有し、その軸線が外周部５１の軸線に直交するように形成されている。ピン収容室５２の一端（図中右）は外周部５１を貫通して同一断面寸法の開口をもって外部に開通し、ピン収容室５２の他端（図中左）は外周部５１に形成された小径の連通路５６を介して外部に開通している。なお、バルブリフタ２４は支持孔１９ａ内で軸線回りに回転しないようになっている。ピン収容室５２は、切替ピン５３によって他端側（連通路５６側）の第１油圧室５７と一端側（開口側）の第２油圧室５８とに区画される。第１油圧室５７には、切替ピン５３を第２油圧室５８側に常時付勢する圧縮コイルばね６１が縮設されている。シリンダヘッド４には、支持孔１９ａの内方（シリンダヘッド４の内方であって図４の左方）に第１油圧室５７に連通する第１油路５９が形成され、外方（シリンダヘッド４の外方であって図４の右方）に第２油圧室５８に連通する第２油路６０が形成されている。第１油路５９及び第２油路６０には、ＥＣＵによって選択されたいずれかに油圧が常時供給される。
【００４１】
図４は、ロッカアーム２２が駆動されておらず、バルブリフタ２４が摺動範囲の上端に位置している状態を示している。バルブリフタ２４に形成された連通路５６はピン収容室５２よりも小径であり、バルブリフタ２４が上端に位置する時にも第１油路５９が連通路５６を介して第１油圧室５７に連通するように、連通路５６から下方に延びる連通溝がバルブリフタ２４の外周面に形成されている。第１油圧室５７と第１油路５９とは、バルブリフタ２４が摺動範囲の下端に位置する時にも連通路５６を介して互いに連通する。一方、第２油圧室５８側ではピン収容室５２がそのままの大きさでバルブリフタ２４の外周面に開口しているため、バルブリフタ２４が摺動範囲内のどの位置にあっても第２油圧室５８と第２油路６０とは直接互いに連通する。
【００４２】
切替ピン５３は、第１油路５９から第１油圧室５７に油圧が供給されることによって第２油圧室５８側に移動し、第２油路６０から第２油圧室５８に油圧が供給されることによって第１油圧室５７側に移動する。切替ピン５３の第１油圧室５７側への移動は外周部５１への当接によって規制され、切替ピン５３の第２油圧室５８側への移動は、外周部５１の軸線と平行にピン収容部５４を貫通するように設けられたストッパピン６２への当接によって規制される。即ち、切替ピン５３は、圧縮コイルばね６１による付勢と第１油圧室５７への油圧供給とによってストッパピン６２に当接した第１位置と、第２油圧室５８への油圧供給によって圧縮コイルばね６１の付勢力に抗して外周部５１に当接した第２位置との間をスライド変位する。このように切替ピン５３の第２位置への駆動に油圧が利用されるだけでなく、切替ピン５３の第２位置への駆動にも、圧縮コイルばね６１の付勢力に加えて油圧が利用されることで、切替ピン５３の緻密な位置制御が可能になっている。
【００４３】
切替ピン５３の下部における軸方向の中間部には、外周部５１の軸線に直交する平坦な当接面６３が形成されている。当接面６３の第２油圧室５８側には、ステムエンド３９を挿通可能な大きさのピン貫通孔６４が外周部５１の軸方向と平行に形成されている。また、ピン収容部５４の下壁における軸方向の中央にも、ステムエンド３９を挿通可能な大きさの収容部貫通孔６５が外周部５１の軸線に沿って形成されている。ピン貫通孔６４は、切替ピン５３が外周部５１に当接する第２位置にある時に、ステムエンド３９に整合する位置、即ち収容部貫通孔６５と同軸になる位置に形成されている。また、バルブリフタ２４の凸部５５には、ピン収容室５２から外周部５１の軸線に沿って上方に延出する有底の延長孔６６が形成されている。
【００４４】
切替ピン５３の第１油圧室５７側の端部は端面が開口する筒状とされており、その上部には切替ピン５３の軸線方向に延びるスリット６７が形成されている。一方、ピン収容部５４の第１油圧室５７側の上部には、先端にピン状のガイド部が形成されたガイドビス６８がガイド部をピン収容室５２に突出させるように固定されている。スリット６７とガイドビス６８とは、ピン収容部５４の周方向に整合する位置に配置されている。切替ピン５３が第１油圧室５７側に移動した際には、スリット６７内にガイドビス６８の先端が収容されることによって切替ピン５３の回転が規制される。
【００４５】
切替ピン５３がストッパピン６２に当接する第１位置にある時には（図４の状態）、ステムエンド３９のエンド面３９ａ（端面）が、その中心を含む大部分の面をもって当接面６３に当接する。これにより、ロッカアーム２２によって駆動されるバルブリフタ２４の摺動に合わせてバルブ１７が開弁駆動される。バルブ１７は第１スプリングによってバルブリフタ２４に向けて常時付勢されており、ステムエンド３９のエンド面３９ａが切替ピン５３の当接面６３に当接することによって切替ピン５３の回転が規制される。また、ステムエンド３９が第２コッタ４５に係合すること、即ちバルブステム３２のステムエンド３９側の環状肩面４０ａが第２コッタ４５のステムエンド３９側の端面に当接することにより、第２バルブスプリング４３のばね力がバルブ１７に伝わる。
【００４６】
一方、切替ピン５３が外周部５１に当接する第２位置にある時には、ステムエンド３９のエンド面３９ａが切替ピン５３の当接面６３に当接することはなく、ロッカアーム２２によって駆動されたバルブリフタ２４が下方に摺動しても、ステムエンド３９がピン貫通孔６４内を摺動するだけであってバルブ１７は開弁しない。ステムエンド３９がピン貫通孔６４内を摺動する際には、第２スプリング支持部４２はバルブリフタ２４と一体に作動してステム小径部４０を摺動する。ステム小径部４０の軸方向長さが第２スプリング支持部４２の移動範囲よりも長くされているため、バルブリフタ２４が摺動範囲の下端に移動した時でも第２スプリング支持部４２（より詳しくは、第２コッタ４５の下端）がバルブヘッド３１側の環状肩面４０ａに当接することはない。
【００４７】
上記のようにバルブリフタ２４のピン収容部５４は不要な肉を有さず、できるだけ小さく形成され、第２スプリング支持部４２は比較的薄くされている。これにより、第２スプリング支持部４２のバルブリフタ２４の外周部５１内への配置が可能になっている。そして第２スプリング支持部４２がバルブリフタ２４の外周部５１の内部に収容されるため、バルブ１７及び第２バルブスプリング４３を安定させた状態でシリンダヘッド４に組み付けることが可能である。一方、ピン収容部５４が小さく形成されると、バルブリフタ２４の下降時にステムエンド３９がピン収容部５４の上壁に当接してバルブ１７を開弁させ得るが、ピン収容室５２から上方へ延出する延長孔６６が凸部５５の内部に形成されているため、バルブステム３２は延長孔６６に受容され、バルブ１７が開弁することはない。
【００４８】
ピン収容部５４の軸方向の中間部には、下方に向けて若干突出し、収容部貫通孔６５の周囲に円環状の平坦面を形成する環状凸部６９が形成されている。環状凸部６９の平坦面の外径は、第２コッタ４５のフランジ４５ｂの外径よりも若干小さくなっている。従って、環状凸部６９は第２コッタ４５のみに当接し、第２リテーナ４４には当接しない。上記のように第２スプリング支持部４２は、切替ピン５３が第２位置にある休弁状態の時にはステム小径部４０を摺動するが、第２バルブスプリング４３によって付勢されているため、第２コッタ４５の上面を環状凸部６９の平坦面に常時当接させている。即ち、第２スプリング支持部４２は、弁稼動時にはステムエンド３９にも係合するが、常時、バルブリフタ２４の環状凸部６９に支持されている。これにより、第２バルブスプリング４３のばね力が常時加わる第２リテーナ４４に発生する応力が小さく、第２スプリング支持部４２の薄型化が可能になっている。また、上記構成によって環状凸部６９が第２コッタ４５のみに当接し、第２コッタ４５の上面が環状凸部６９の平坦面に常時当接することにより、第２コッタ４５が第２リテーナ４４とバルブリフタ２４の環状凸部６９とによって挟持される状態が常時維持される。従って、テーパ形状を有していなくても第２コッタ４５が外れることがない。環状凸部６９の高さ及びステムエンド３９の長さは、第２コッタ４５が環状凸部６９に当接している状態で切替ピン５３がピン収容室５２内を摺動可能であり、且つ切替ピン５３の当接面６３とステムエンド３９のエンド面３９ａとの隙間が殆どなくなるような値に設定されている。
【００４９】
以上のようにしてバルブ休止機構７０が構成され、１つの気筒の全てのバルブ１７に設けられた４つのバルブ休止機構７０によって気筒休止機構７１が構成される。
【００５０】
バルブ休止機構７０を備えた動弁装置２０のシリンダヘッド４への組み付け手順は以下の通りである。図２及び図４に示されるように、バルブステム３２を燃焼室１２側からバルブガイド３３に挿入してバルブ１７をシリンダヘッド４に摺動可能に取り付ける。その後、バルブガイド３３から上方へ突出するバルブステム３２の周囲に小径の第１バルブスプリング３５を配置すると共にその上端に第１リテーナ３６を配置して第１バルブスプリング３５を圧縮させる。この状態で、２つ割りの第１コッタ３７を環状突起３８に係合させた上で第１バルブスプリング３５を伸長させて第１リテーナ３６を第１コッタ３７に係合させる。これにより、バルブ１７は第１バルブスプリング３５によって第１スプリング支持部３４を介して閉弁位置側に常時付勢される。
【００５１】
続いて、第１バルブスプリング３５の周囲に大径の第２バルブスプリング４３を配置すると共にその上端に第２リテーナ４４を配置して第２バルブスプリング４３を圧縮させる。この状態で、２つ割りの第２コッタ４５をステム小径部４０に摺動可能に装着した上で第２バルブスプリング４３を伸長させて第２リテーナ４４を第２コッタ４５に係合させる。これにより、第２コッタ４５がステムエンド３９に係止され、バルブ１７は第２バルブスプリング４３によっても、第２スプリング支持部４２を介して閉弁位置側に常時付勢される。
【００５２】
その後、バルブリフタ２４をシリンダヘッド４の支持孔１９ａに挿入し、第２スプリング支持部４２の上に載置する。この際、第１バルブスプリング３５及び第２バルブスプリング４３がバルブ１７によって圧縮状態に維持されているため、バルブリフタ２４は第２スプリング支持部４２の上に載置するだけで所定位置に維持される。この状態で、支持壁１９に装着したラッシュアジャスタ２３とバルブリフタ２４の凸部５５とに架け渡すようにロッカアーム２２を配置し、ロッカアーム２２の上にカムシャフト２１を配置することによって動弁装置２０の組み付けが完了する。
【００５３】
次に、図７及び図８を参照して、バルブ休止機構７０の作動について説明する。図７（Ａ）は、バルブ休止機構７０が弁稼動状態にあるロッカアーム非揺動時の動弁装置２０を示し、図７（Ｂ）は、バルブ休止機構７０が弁稼動状態にあるロッカアーム揺動時の動弁装置２０を示している。図８は、バルブ休止機構７０が休弁状態にあるロッカアーム非揺動時の動弁装置２０を示し、図７（Ｂ）は、バルブ休止機構７０が休弁状態にあるロッカアーム揺動時の動弁装置２０を示している。なお、図７及び図８は、図４に示される吸気側のバルブ１７ではなく、図２の左側の排気側のバルブ１７を示しているので注意されたい。
【００５４】
バルブ休止機構７０が弁稼動状態にある場合、図７（Ａ）、（Ｂ）に示されるように、切替ピン５３は、第１油路５９から第１油圧室５７への油圧供給によって図の左側に位置し、バルブステム３２のエンド面３９ａの上方には切替ピン５３の当接面６３が位置している。カム２１ａの基礎円部分がカムフォロア２８に転接し、ロッカアーム２２が初期位置にある非揺動時には、図７（Ａ）に示されるように、バルブ１７は、第１スプリング支持部３４を介して第１バルブスプリング３５によって上方へ付勢されており、バルブヘッド３１がバルブシート３０に着座した閉弁状態にある。第２バルブスプリング４３のばね力を受ける第２スプリング支持部４２は、第２コッタ４５をバルブリフタ２４の環状凸部６９に当接させており、第２コッタ４５はステムエンド３９に係合し得る状態ではあるが、第２バルブスプリング４３のばね力はバルブリフタ２４に伝わる。
【００５５】
ロッカアーム２２がカム２１ａによって駆動されて揺動すると、図７（Ｂ）に示されるように、バルブリフタ２４が支持孔１９ａ内を下方へ摺動し、切替ピン５３の当接面６３がバルブステム３２のエンド面３９ａに当接することから、バルブ１７もバルブリフタ２４と同量だけ下方へ摺動する。これにより、バルブ１７はバルブヘッド３１がバルブシート３０から離れた開弁状態になる。バルブリフタ２４の下降時は、第２スプリング支持部４２は、第２コッタ４５がバルブリフタ２４の環状凸部６９に当接するため、第２バルブスプリング４３のばね力はバルブリフタ２４に伝わる。一方、バルブリフタ２４の上昇時には、第２コッタ４５がステムエンド３９に係合した時に、第２バルブスプリング４３のばね力がバルブ１７に伝わり、バルブ１７を閉弁方向に付勢する。そのため、バルブ１７に大きな慣性力が加わる高速回転時であっても第１バルブスプリング３５のばね力に加えて第２バルブスプリング４３のばね力がバルブ１７に伝わり、バルブ１７の動作が安定する。
【００５６】
一方、バルブ休止機構７０が休弁状態にある場合、図８（Ａ）、（Ｂ）に示されるように、切替ピン５３は、第２油路６０から第２油圧室５８への油圧供給によって図の右側に位置し、ステムエンド３９の上方にはピン貫通孔６４が位置している。カム２１ａの基礎円部分がカムフォロア２８に転接し、ロッカアーム２２が初期位置にある非揺動時には、図８（Ａ）に示されるように、バルブ１７は、図７（Ａ）と同様に第１スプリング支持部３４を介して第１バルブスプリング３５によって上方へ付勢されており、バルブヘッド３１がバルブシート３０に着座した閉弁状態にある。第２バルブスプリング４３のばね力を受ける第２スプリング支持部４２は、第２コッタ４５をバルブリフタ２４の環状凸部６９に当接させており、第２コッタ４５はステムエンド３９に係合し得る状態ではあるが、第２バルブスプリング４３のばね力はバルブリフタ２４に伝わる。
【００５７】
ロッカアーム２２がカム２１ａによって駆動されて揺動すると、図８（Ｂ）に示されるように、バルブリフタ２４が支持孔１９ａ内を下方へ摺動し、ステムエンド３９がピン貫通孔６４及び延長孔６６内を相対的に上方へ摺動する。そのため、バルブ１７は開弁作動しない。この時も、第１バルブスプリング３５のばね力はバルブ１７に伝わり、第２バルブスプリング４３のばね力はバルブリフタ２４に伝わる。
【００５８】
次に、図３に戻って、フロントバンク２Ｆの動弁装置２０について、リヤバンク２Ｒの動弁装置２０との相違点を中心に説明する。なお、フロントバンク２Ｆの動弁装置２０においても、吸気側及び排気側で概ね前後対称に構成されている。そのため、「吸気」及び「排気」の文言を用いずに番号符号のみを使用して説明する。
【００５９】
図３に示されるように、フロントバンク２Ｆの動弁装置２０では、バルブ１７とロッカアーム２２との間に介装されたバルブリフタ２４の内部には、バルブ休止機構７０は組み込まれていない。バルブ１７は、バルブヘッド３１とバルブステム３２とを有するポペットバルブであり、バルブステム３２は概ね同一断面寸法のロッド状に形成されている。バルブステム３２のステムエンド３９近傍には第３スプリング支持部８１が固定されている。第３スプリング支持部８１は、シリンダヘッド４の上面に設けられたスプリングシートとの間に介装され、第１バルブスプリング３５（図２）と略同一の巻径を有し第１バルブスプリング３５よりも太い線径を有する第３バルブスプリング８２を支持する。第３バルブスプリング８２は、第３スプリング支持部８１とシリンダヘッド４との間に縮設された圧縮コイルばねであり、第３スプリング支持部８１を介してバルブ１７を閉弁方向に常時付勢する。第３スプリング支持部８１の構成は第１スプリング支持部３４と同様である。
【００６０】
バルブリフタ２４は、リヤバンク２Ｒに設けられたものと同様の構成を有しているが、バルブ休止機構７０が組み込まれないため、ピン収容部５４の内部に切替ピン５３は設けられていない。また、バルブリフタ２４のピン収容部５４の下壁には収容部貫通孔６５が形成されておらず、ピン収容部５４から下方に向けて円形凸部８３が突出している。バルブ１７はステムエンド３９のエンド面３９ａを円形凸部８３の先端面に常時当接させており、ロッカアーム２２により駆動されるバルブリフタ２４の摺動に合わせて開弁駆動される。
【００６１】
以上のように構成されたバルブ休止機構７０を備えた動弁装置２０によれば、以下のよう作用効果が得られる。
【００６２】
図４に示されるように、動弁装置２０は、カムシャフト２１によって駆動されるバルブ１７と、シリンダヘッド４によってバルブ１７の摺動方向に沿って摺動可能に支持され、カムシャフト２１のカム２１ａとバルブ１７との間に介装されるバルブリフタ２４と、バルブリフタ２４の内部に変位可能に設けられ、供給油圧に応じ、バルブリフタ２４の摺動時にバルブステム３２のエンド面３９ａに当接する第１位置とバルブステム３２のエンド面３９ａに当接しない第２位置との間を変位することによってバルブ１７のリフト特性を切り替える切替ピン５３とを有している。そして、バルブステム３２には、シリンダヘッド４との間に縮設される比較的小径の第１バルブスプリング３５を支持する第１スプリング支持部３４が固定されると共に、第１スプリング支持部３４よりもエンド面３９ａ側の位置に、シリンダヘッド４との間に縮設される比較的大径の第２バルブスプリング４３を支持する第２スプリング支持部４２が摺動可能に設けられ、バルブステム３２が、第２スプリング支持部４２を摺動させるステム小径部４０に比べて拡径したステムエンド３９を有している。そのため、図２及び図４に示されるように、動弁装置２０をシリンダヘッド４に組み付ける際に、第２スプリング支持部４２の上にバルブリフタ２４を置くだけで、即ちバルブリフタ２４を第２バルブスプリング４３のばね力に抗して押し付けることなくバルブリフタ２４を所定位置に維持でき、動弁装置２０の組み付け作業が容易になる。また、動弁装置２０の組み付け時に第２バルブスプリング４３の付勢力が油圧で駆動されるラッシュアジャスタ２３に負荷されることが防止される。
【００６３】
図４に示されるように、第２スプリング支持部４２は、円環状の第２リテーナ４４と、バルブステム３２と第２リテーナ４４との間に設けられ、複数の部材によってバルブステム３２を囲繞するように構成された第２コッタ４５とを有し、第２コッタ４５が第２リテーナ４４とバルブリフタ２４とによって挟持されている。そのため、バルブ１７が拡径したステムエンド３９を有していても、第２スプリング支持部４２のバルブ１７への組み付けは容易である。また、第２コッタ４５が第２リテーナ４４とバルブリフタ２４とによって挟持されるため、第２コッタ４５が外れることが防止される。
【００６４】
また、第２コッタ４５は、バルブステム３２を囲繞する筒部４５ａと、筒部４５ａのステムエンド３９側の端部から径外方向に延出するフランジ４５ｂとを有し、第２リテーナ４４が、筒部４５ａが挿入される貫通孔４４ａと、貫通孔４４ａの周囲に形成されてフランジ４５ｂを受容する凹部４４ｂとを有する。そして、バルブリフタ２４が第２コッタ４５のみに当接する環状凸部６９を有している。そのため、第２リテーナ４４に発生する応力が小さく済み、第２リテーナ４４及び第２コッタ４５の薄型化が可能になる。
【００６５】
バルブリフタ２４が、シリンダヘッド４に摺接する筒状の外周部５１を有し、第２コッタ４５及び第２リテーナ４４がバルブリフタ２４の外周部５１の内部に収容されている。そのため、バルブ１７及び第２バルブスプリング４３を安定させた状態でシリンダヘッド４に組み付けることができる。また、第２リテーナ４４及び第２コッタ４５が薄型化可能であるため、バルブリフタ２４の大型化が抑制される。
【００６６】
バルブステム３２の第２スプリング支持部４２を摺動させるステム小径部４０とステムエンド３９との接続部である環状肩面４０ａに隅Ｒが形成され、第２コッタ４５のステムエンド３９側の端面と内周面との角部が面取りされている。そのため、切替ピン５３が第１位置にある時のステムエンド３９の位置決め精度が向上し、切替ピン５３と第２コッタ４５とにより挟まれたステムエンド３９のがたつきが抑制される。更に、図８（Ａ）、（Ｂ）に示されるように、切替ピン５３が第２位置にある時の第２コッタ４５とステムエンド３９との衝突による磨耗が抑制される。
【００６７】
図２に示されるように、動弁装置２０はカムシャフト２１とバルブリフタ２４との間に揺動可能に設けられたロッカアーム２２を更に有する。図４に示されるように、バルブリフタ２４は、切替ピン５３のピン収容室５２を画定するピン収容部５４からロッカアーム２２に向けて突出し、ロッカアーム２２の揺動端に摺接する凸部５５と、ピン収容室５２からロッカアーム２２に向けて凸部５５内に凹陥し、切替ピン５３が第２位置にある時にステムエンド３９を受容する延長孔６６とを有する。このように、バルブリフタ２４が凸部５５を有し、駆動部材であるロッカアーム２２の揺動端に凸部５５を摺接させればよいため、バルブリフタ２４の小型化が可能になる。また、バルブリフタ２４が凸部５５内に延長孔６６を有するため、バルブリフタ２４を小型化しながらも、切替ピン５３がステムエンド３９のエンド面３９ａに当接しない時のバルブリフタ２４の摺動可能距離を確保することができる。これにより、バルブ１７が休止するようにバルブ特性を変化させることも容易である。
【００６８】
以上で具体的実施形態の説明を終えるが、本発明は上記実施形態に限定されることなく幅広く変形実施することができる。例えば、上記実施形態では、可変動弁装置を、バルブ１７を開閉作動させる弁稼動状態と、開閉作動を休止させる休弁状態とを選択的に切り替えるバルブ休止機構７０に適用したが、バルブ１７のリフト量を変化させる機構や、バルブ１７のリフトタイミングを変化させる機構に適用してもよい。また、ＤＯＨＣ式の動弁装置２０ではなく、ＳＯＨＣ式やＯＨＶ式の動弁機構に本発明を適用してもよく、スイングアーム型ではなくシーソー型のロッカアーム２２を用いた動弁機構や、ダイレクト型の動弁機構に本発明を適用してもよい。更に、直列エンジンに可変動弁装置を適用してもよい。この他、各部材や部位の具体的構成や配置、数量、素材、角度など、本発明の趣旨を逸脱しない範囲であれば適宜変更可能である。一方、上記実施形態に示した各構成要素は必ずしも全てが必須ではなく、適宜選択することができる。
【符号の説明】
【００６９】
１      エンジン
４      シリンダヘッド
１２    燃焼室
１６Ｅ  排気ポート（排気口）
１６Ｉ  吸気ポート（吸気口）
１７    バルブ
１７Ｅ  排気バルブ
１７Ｉ  吸気バルブ
２０    動弁装置
２１    カムシャフト
２１Ｅ  排気カムシャフト
２１Ｉ  吸気カムシャフト
２１ａ  カム
２２    ロッカアーム
２２Ｅ  排気ロッカアーム
２２Ｉ  吸気ロッカアーム
２４    バルブリフタ
３１    バルブヘッド
３２    バルブステム
３４    第１スプリング支持部
３５    第１バルブスプリング
３９    ステムエンド
３９ａ  エンド面
４０    ステム小径部
４０ａ  環状肩面
４２    第２スプリング支持部
４３    第２バルブスプリング
４４    第２リテーナ
４４ａ  貫通孔
４４ｂ  凹部
４５    第２コッタ
４５ａ  筒部
４５ｂ  フランジ
５１    外周部
５２    ピン収容室
５３    切替ピン（切替部材）
５４    ピン収容部
５５    凸部
６６    延長孔（受容孔）
６９    環状凸部
７０    バルブ休止機構
【図１】
0006669591.tif 000002
【図２】
0006669591.tif 000003
【図３】
0006669591.tif 000004
【図４】
0006669591.tif 000005
【図５】
0006669591.tif 000006
【図６】
0006669591.tif 000007
【図７】
0006669591.tif 000008
【図８】
0006669591.tif 000009